(57)【特許請求の範囲】
【請求項１】
ベースと、
上記ベースに設けられ、ディスク状記録媒体を回転する回転駆動部と、
上記ベースに設けられた開口部より上記回転駆動部に装着された上記ディスク状記録媒体に臨まされ、上記回転駆動部に装着されているディスク状記録媒体に対して情報信号を記録し及び／又はディスク状記録媒体に記録された情報信号の再生をする記録及び／又は再生部と、
上記ディスク状記録媒体の径方向に、上記記録及び／又は再生部を移動可能に支持する駆動軸と、上記駆動軸の一端に取り付けられ、上記駆動軸の軸方向に伸縮することによって、上記駆動軸を、この駆動軸方向に変位させる電気機械変換素子と、上記記録及び／又は再生部に形成され、上記駆動軸に対して摩擦係合する連結部とを有し、上記記録及び／又は再生部を、上記駆動軸を上記電気機械変換素子によって変位させることによって、上記ディスク状記録媒体の径方向に移動させる移動操作部と、
上記ベースに設けられ、上記移動操作部の駆動軸を被覆する防塵部とを備え、
上記防塵部は、
上記駆動軸の上部を被覆する第１の被覆部と、
上記駆動軸の記録及び／又は再生部側の側部を被覆する第２の被覆部とを有し、
上記第２の被覆部は、略櫛型で撓み変形可能に設けられている記録及び／又は再生装置。
【請求項２】
上記防塵部は、上記ベースと一体的に設けられている請求項１記載の記録及び／又は再生装置。
【請求項３】
上記防塵部は、上記ベースとは別体のカバー部材で設けられている請求項１記載の記録及び／又は再生装置。
【請求項４】
上記ディスク状記録媒体は、カートリッジ本体に回転可能に収納されており、上記ベースには、カートリッジ本体が装着される装着部が設けられおり、上記装着部は、蓋体により開閉され、上記防塵部は、上記蓋体が上記装着部を開放しているとき、上記駆動軸を被覆する請求項１記載の記録及び／又は再生装置。
【発明の詳細な説明】
【０００１】
【発明の属する技術分野】
本発明は、電気機械変換素子を用いて駆動軸を変位させることによって被駆動体となる記録及び／又は再生部を駆動軸に沿って移動させる記録及び／又は再生装置に関する。
【０００２】
【従来の技術】
ディスク状記録媒体である光ディスクにデータを記録し又は光ディスクに記録されているデータの再生を行うディスク記録再生装置は、光ディスクを回転駆動するディスク回転駆動機構と、このディスク回転駆動機構により回転駆動される光ディスクに対して情報信号を記録し又は光ディスクに記録されているデータの読み出しを行う光ピックアップと、この光ピックアップを光ディスクの径方向に移動するピックアップ送り機構とを備え、これらが装置本体のベースに配設されている。
【０００３】
ディスク回転駆動機構は、スピンドルモータの駆動軸に一体的に取り付けられたディスクテーブルを有しており、このディスクテーブルには、光ディスクが装着される。光ピックアップは、光源から出射された光ビームを対物レンズにより集光させて光ディスクの信号記録面に照射し、この光ディスクの信号記録面から反射した戻りの光ビームを受光素子により検出することにより、光ディスクにデータを記録し又は光ディスクよりデータを読み出すことができるようになっている。
【０００４】
このような光ピックアップを光ディスクの径方向に送り操作するピックアップ送り機構は、光ピックアップを光ディスクの径方向に移動可能に支持するガイド軸と、光ピックアップが係合され、回転されることにより光ピックアップを光ディスクの径方向に送り操作する送りねじとを有している。そして、光ピックアップは、送りねじが駆動モータにより回転されることによって、データの記録再生が進むに従って、例えば光ディスクの内周側から外周側にガイド軸に沿って移動される。
【０００５】
【発明が解決しようとする課題】
ところで、ディスク記録再生装置には、ピックアップ送り機構に、電気機械変換素子を用いるものがある。このピックアップ送り機構は、電気機械変換素子により変位される駆動軸に光ピックアップが取り付けられており、電気機械変換素子に、ランプ電圧を印加することによって、駆動軸を変位させ、この駆動軸に取り付けられている光ピックアップを、駆動軸に沿って移動させることができる。このピックアップ送り機構は、光ピックアップを移動させるにあたって、ギヤ等を必要としないことから、部品点数の削減を図ることができ、また、これを適用した装置の小型化を図ることができる。
【０００６】
このピックアップ送り機構は、駆動軸を変位させることによって光ピックアップを移動させるものであるから、駆動軸に塵埃等の異物が付着してしまうと、光ピックアップの高精度な位置制御を行うことができなくなってしまう。
【０００７】
本発明は、以上のような問題点に鑑みてなされたものであり、その目的は、電気機械変換素子を移動操作部に用いたときに、駆動軸に塵埃等の異物が付着することを防止し、被移動体となる記録及び／又は再生部の位置制御を高精度に行うことができる記録及び／又は再生装置を提供することにある。
【０００８】
また、本発明の他の目的は、駆動軸に塵埃等の異物が付着する防塵部を簡単な構成で設けることができる記録及び／又は再生装置を提供することにある。
【０００９】
【課題を解決するための手段】
本発明に係る記録及び／又は再生装置は、上述した目的を解決すべく、ベースと、上記ベースに設けられ、ディスク状記録媒体を回転する回転駆動部と、上記ベースに設けられた開口部より上記回転駆動部に装着された上記ディスク状記録媒体に臨まされ、上記回転駆動部に装着されているディスク状記録媒体に対して情報信号を記録し及び／又はディスク状記録媒体に記録された情報信号の再生をする記録及び／又は再生部と、上記ディスク状記録媒体の径方向に、上記記録及び／又は再生部を移動可能に支持する駆動軸と、上記駆動軸の一端に取り付けられ、上記駆動軸の軸方向に伸縮することによって、上記駆動軸を、この駆動軸方向に変位させる電気機械変換素子と、上記記録及び／又は再生部に形成され、上記駆動軸に対して摩擦係合する連結部とを有し、上記記録及び／又は再生部を、上記駆動軸を上記電気機械変換素子によって変位させることによって、上記ディスク状記録媒体の径方向に移動させる移動操作部と、上記ベースに設けられ、上記移動操作部の駆動軸を被覆する防塵部とを備える。そして、上記防塵部は、上記駆動軸の上部を被覆する第１の被覆部と、上記駆動軸の記録及び／又は再生部側の側部を被覆する第２の被覆部とを有し、上記第２の被覆部は、略櫛型で撓み変形可能に設けられている。
【００１０】
【発明の実施の形態】
以下、本発明が適用されたディスク記録再生装置について図面を参照して説明する。このディスク記録再生装置は、例えば携帯型の装置であり、ディスクカートリッジを記録媒体に用いる。
【００１１】
図１及び図２に示すように、ディスク記録再生装置１に用いられるディスクカートリッジ２は、一対の上ハーフ２ａと下ハーフ２ｂとを突き合わすことにより構成されたカートリッジ本体２ｃに、光磁気ディスク３が回転可能に収納されてなる。
【００１２】
光磁気ディスク３の中心部には、ディスク記録再生装置側のディスク回転駆動機構を構成するディスクテーブルに係合されるクランピングプレート３ａが設けられている。クランピングプレート３ａは、金属等で形成されており、ディスクテーブル側のマグネットによって磁気吸引されるようになっている。すなわち、光磁気ディスク３は、ディスクテーブルにクランピングプレート３ａが磁気吸引され係合されることによって、ディスクテーブルと一体的に回転するようになっている。
【００１３】
この光磁気ディスク３を回転可能に収納するカートリッジ本体２ｃには、前面側略中央の上ハーフ２ａ及び下ハーフ２ｂの互いに対向する面に、光磁気ディスク３の信号記録領域の一部を径方向に亘って外部に臨ませる記録再生用の開口部４，４が形成されている。上ハーフ２ａ側の開口部４は、光磁気ディスク３に対して磁界を印加する磁気ヘッドをカートリッジ本体２ｃ内部に進入させるためのものであり、下ハーフ２ｂ側の開口部４は、光ピックアップを光磁気ディスク３に臨ませるためのものである。
【００１４】
また、カートリッジ本体２ｃの前面側には、記録再生用の開口部４，４を開閉するためのシャッタ部材５がスライド可能に取り付けられている。このシャッタ部材５は、カートリッジ本体２の外形に沿って略コ字状に折り曲げられた平板部材によって形成されており、各主面部は、記録再生用の開口部４，４を閉塞するのに足る大きさに形成されている。このシャッタ部材５は、ディスク記録再生装置１に装填されたときに限って、開口部４，４を開放し、非使用時には開口部４，４を閉塞する。
【００１５】
また、下ハーフ２ｂの中央部には、光磁気ディスク３のクランピングプレートを外部に臨ませる略円形のディスク駆動用の開口部６が設けられている。ディスクカートリッジ２がディスク記録再生装置１に装填されたとき、この開口部６からは、ディスクテーブルが進入し、クランピングプレートとディスクテーブルとが係合するようになっている。
【００１６】
このようなディスクカートリッジ２は、カートリッジ本体２ｃの前面と直交する一側面を挿入端として、ディスク記録再生装置１に装填される。すると、シャッタ部材５は、ディスクカートリッジの挿入方向と平行な方向に、カートリッジ本体２ｃの前面に沿ってスライドし、記録再生用の開口部４，４を開放し、光磁気ディスク３の記録再生の可能な状態にする。なお、カートリッジ本体２ｃ内に収納する記録媒体としては、光磁気ディスクの他に、ピットパターンによってデータが予め記録された再生専用の光ディスク、記録層に有機色素材料を用いデータの追記を可能とする追記型の光ディスク、記録層に相変化材料を用いデータの書換を可能とする書換型の光ディスク、磁気ディスク等を用いるようにしてもよい。
【００１７】
以上のようなディスクカートリッジ２を記録媒体に用いるディスク記録再生装置１について説明すると、このディスク記録再生装置１は、ディスクカートリッジ２が装着される装着部が設けられた装置本体と、この装置本体に設けられた装着部を開閉する蓋体とを備える。そして、図１乃至図３に示すように、装置本体を構成する外筐内には、ディスクカートリッジ２が装着される装着部が一方の主面に構成されたベース１０が配設されている。このベース１０には、ディスクカートリッジ２を保持するカートリッジホルダ１１が回動可能に取り付けられており、このカートリッジホルダ１１は、外筐の一部を構成する蓋体と共に回動するようになっている。そして、このディスク記録再生装置１は、蓋体が装着部を開放しているとき、ディスクカートリッジをカートリッジホルダ１１に挿入保持させ、蓋体をベース１０に設けられた装着部を閉塞する方向に回動操作することによって、カートリッジホルダ１１に保持されたディスクカートリッジ２をベース１０に設けられた装着部に装着し、光磁気ディスク３の記録再生を行うことができるようになっている。すなわち、ディスクカートリッジ２は、装着部に装着された状態において、記録再生用の開口部４，４がシャッタ部材５がカートリッジ本体２ｃの前面部に沿ってスライドすることにより開放され、下ハーフ２ｂの略中央の開口部よりディスクテーブルが進入し、クランピングプレート３ａがディスクテーブルに磁気吸引されて係合した状態となる。
【００１８】
装置本体を構成する筐体内に配設されるベース１０には、図１乃至図３に示すように、カートリッジ本体２ｃに収納された光磁気ディスク３を回転駆動するディスク回転駆動機構７と、このディスク回転駆動機構７により回転駆動される光磁気ディスク３に対して情報信号の記録再生を行う光ピックアップ８とが配設されている。
【００１９】
ディスク回転駆動機構７は、光磁気ディスク３を回転するための駆動源となるスピンドルモータ１２を有し、このスピンドルモータ１２は、ベース１０の下面側略中央部に、駆動軸１２ａを上面側に突出させるように配設されている。この駆動軸１２ａには、光磁気ディスク３のクランピングプレート３ａに係合されるディスクテーブル１３が取り付けられている。このディスクテーブル１３は、クランピングプレート３ａを磁気吸引するためのマグネットが内蔵されており、光磁気ディスク３を一体的に回転することができるようになっている。
【００２０】
ベース１０に配設される光ピックアップ８は、光学系として、光ビームを出射する半導体レーザ、この半導体レーザより出射された光ビームを集束する対物レンズ１４、光磁気ディスク３で反射された戻りの光ビームを検出する光検出器等を備える。半導体レーザより出射された光ビームは、対物レンズ１４により集束され、光磁気ディスク３の信号記録面に照射される。光磁気ディスク３の信号記録面で反射された戻りの光ビームは、光検出器により電気信号に変換され、ＲＦアンプに出力される。
【００２１】
また、光ピックアップ８は、対物レンズ１４を光軸方向に変位駆動させる対物レンズ駆動機構を有している。この対物レンズ駆動機構は、対物レンズ１４を、この対物レンズ１４の光軸方向であるフォーカシング方向に変位させる１軸アクチュエータである。この対物レンズ駆動機構は、例えば光ピックアップ８のベースに配設されるマグネットと、対物レンズ１４のレンズホルダにマグネットと対向するように配設されるコイルとからなり、コイルに流れるフォーカシングサーボ信号に応じた電流とマグネットが発生する磁界とにより駆動力を発生し、対物レンズ１４をフォーカシング方向に変位させる。
【００２２】
すなわち、この対物レンズ駆動機構は、既存のフォーカシング制御とトラッキング制御とを行う２軸アクチュエータからなる対物レンズ駆動機構と比べて、トラッキング制御用の駆動部を備えておらず、小型化や軽量化が図られている。このディスク記録再生装置１では、詳細は後述する光ピックアップ８の送り機構３１によって、光ピックアップ８及び磁気ヘッド１５を光磁気ディスク３の径方向の送り操作すると共に対物レンズ１４のトラッキング制御を行うようにしている。この光ピックアップ８は、対物レンズ１４がベース１０に設けられた光ピックアップ８の移動領域に対応して設けられた光ピックアップ用開口部１４ａよりディスクカートリッジ２が装着される装着部側に臨まされている。
【００２３】
この光ピックアップ８には、対物レンズ１４と光磁気ディスク３を挟んで対向するように磁気ヘッド１５が取り付けられている。磁気ヘッド１５は、光ピックアップ８と磁気ヘッド１５とを連結する連結部材１６に取り付けられたヘッド支持アーム１７の先端部に取り付けられている。このヘッド支持アーム１７は、ジンバルバネ等の弾性変位可能な部材からなり、磁気ヘッド１５を光磁気ディスク３の方向に付勢し、記録時に限って光磁気ディスク３に磁界を印加することができるように摺接されるようになっている。
【００２４】
なお、ベース１０の一方の主面に設けられた装着部には、ベース１０に載置されるディスクカートリッジ２の装着位置の位置決めをする位置決め突起１８、ディスクカートリッジ２がベース１０に載置されたことを検出する押圧型のスイッチ等からなる検出部１９等が設けられている。
【００２５】
ところで、ベース１０に回動可能に取り付けられるカートリッジホルダ１１は、図１に示すように、ステンレス等のバネ弾性を有する薄い金属板を折り曲げて形成され、ディスクカートリッジ２を収納保持するに大きさに形成されている。このカートリッジホルダ１１は、ディスクカートリッジ２の上面側を覆うに足る大きさを有する略矩形状に形成された天板部２１を有し、天板部２１の相対向する両側に、このカートリッジホルダ１１の挿入されるディスクカートリッジ２の両側を支持する第１及び第２のカートリッジ保持部２２，２３が設けられている。これら第１及び第２のカートリッジ保持部２２，２３は、天板部２１の両側を垂直に折り曲げて形成されたカートリッジホルダ１１の側壁と、これら側壁の先端側を天板部２１と平行となるように折り曲げて形成されたカートリッジ支持片とからなり、ディスクカートリッジ２を保持できるように断面略コ字状構成されている。
【００２６】
カートリッジホルダ１１は、第１及び第２のカートリッジ保持部２２，２３が形成された両側に直交する前面側の第１及び第２のカートリッジ保持部２２，２３との間の開放された部分がカートリッジ挿脱口とされ、このカートリッジ挿脱口を介してディスクカートリッジ２が第１及び第２のカートリッジ保持部２２，２３間に挿入される。このとき、ディスクカートリッジ２は、シャッタ部材５が取り付けられた前面側と、前面側と対向する背面側とが第１及び第２のカートリッジ保持部２２，２３に保持される。
【００２７】
カートリッジホルダ１１の第１のカートリッジ保持部２２を構成する側壁の長手方向の略中央部には、カートリッジホルダ１１に挿入されるディスクカートリッジ２の一側面側に形成したシャッタ開放部材進入溝に進入し、シャッタロック部材を弾性変形させてシャッタ部材５のロックを解除するシャッタ開放片２４がカートリッジホルダ１１の内方に向かって折り返し形成されている。このシャッタ開放片２４は、シャッタ部材５をカートリッジホルダ１１の内方に挿入されるカートリッジ本体１４に対しに一方向に移動させて記録再生用の開口部４，４を開放する方向に移動させる。
【００２８】
第１のカートリッジ保持部２２を構成する側壁のシャッタ開放片２４が設けられた位置よりカートリッジ挿脱口側の位置には、カートリッジホルダ１１に挿入されたディスクカートリッジ２に取り付けられたシャッタ部材５を記録再生用開口部４，４を開放した位置に保持すると共に、ディスクカートリッジ２をカートリッジホルダ１１からイジェクトする際、カートリッジホルダ１１から突出される方向に移動させるカートリッジ本体１４に対しシャッタ部材５を保持し、シャッタ部材５を記録再生用の開口部４，４を閉塞する方向に移動させるシャッタ保持片２５が設けられている。このシャッタ保持片２５は、側壁にＵ字状の切り込みを穿設することによって側壁に一体に弾性変位可能に形成されている。シャッタ保持片２５は、側壁の基端部から先端部側に向かって延長するように形成され、先端部側にシャッタ部材５の係合孔に係合する係合突部が形成され、この係合突部をシャッタ部材５の係合孔に係合させることによって、シャッタ部材５を記録再生用開口部４，４を開放した位置に保持する。
【００２９】
このカートリッジホルダ１１の天板部２１には、光ピックアップ８に連結された磁気ヘッド１５が延在され、磁気ヘッド１５が天板部２１に設けられた磁気ヘッド用開口部２６よりカートリッジホルダ１１内に臨まされている。磁気ヘッド用開口部２６は、ディスクカートリッジ２がベース１０の装着部に装着されたとき、シャッタ部材５が一方向に移動することによって開放された記録再生用の開口部４，４に対応する位置に設けられている。
【００３０】
カートリッジホルダ１１の天板部２１には、操作モードに応じて磁気ヘッド１５を光磁気ディスク３に近接離間させるため、磁気ヘッド１５が先端部に取り付けられたヘッド支持アーム１７を昇降操作させる昇降操作部材２７が設けられている。昇降操作部材２７は、ヘッド支持アーム１７の下面側に位置してヘッド支持アーム１７を回動操作する回動操作板２８を有し、この回動操作板２８の基端部側の両側から一対の支持アーム２９が形成されている。昇降操作部材２７は、天板部２１に設けられた磁気ヘッド用開口部２６に掛け渡すように配設され、支持アーム２９の基端部側に突設した支軸を天板部２１の一部を切り起こして形成した回動支持片に枢支させて天板部２１に取り付けられている。この昇降操作部材２７は、図示しない駆動機構によって回動操作され、磁気ヘッド１５をベース１０の装着部に装着されているディスクカートリッジ２の光磁気ディスク３に対して近接離間する方向に昇降させる。昇降操作部材２７は、光磁気ディスク３にデータを記録するとき、磁気ヘッド１５が光磁気ディスク３に摺接するように下降させ、再生時、停止時、イジェクト時等には、磁気ヘッド１５を光磁気ディスク３から離間する方向に上昇させる。
【００３１】
なお、カートリッジホルダ１１は、第１及び第２のカートリッジ保持部２２，２３の基端部に設けられた支持孔３０ａ，３０ａにベース１０側の支軸３０ｂ，３０ｂが軸支されることによって、ベース１０に回動可能に支持される。
【００３２】
図３及び図４に示すように、磁気ヘッド１５が先端部に取り付けられたヘッド支持アーム１７が連結部材１６を介して取り付けられた光ピックアップ８は、光ピックアップ送り機構３１によって、ベース１０の装着部に装着されたディスクカートリッジの光磁気ディスク３の径方向に移動可能に支持されている。光ピックアップ送り機構３１は、光ピックアップ８が取り付けられる取付ブロック３２を光磁気ディスク３の径方向に移動可能に支持するガイド軸３３と、ガイド軸２０と平行に配設される駆動軸３４と、この駆動軸３４の一端に取り付けられた電気機械変換素子３５と、この電気機械変換素子３５を固定する固定部３６と、駆動軸３４の軸方向にスライド可能に支持され、取付ブロック３２と駆動軸３４とを連結する連結部３７とを有している。
【００３３】
ガイド軸３３は、光磁気ディスク３の径方向に配設されており、その両端部がベース１０の光ピックアップ用開口部１４ａの周囲に設けられた一対の支持部材３８，３８により固定されている。そして、取付ブロック３２には、このガイド軸３３が挿通されるガイド孔３９が形成された支持部４１が一体に形成されている。したがって、取付ブロック３２は、支持部４１のガイド孔３９に挿通されることによって、対物レンズ１４が光ピックアップ用開口部１４ａよりディスクカートリッジ２が装着される装着部側に臨み、光ピックアップ８が光磁気ディスク３の径方向に移動可能に配設される。
【００３４】
駆動軸３４は、取付ブロック３２を光磁気ディスク３の内外周に亘って移動させるのに十分な長さを有しており、駆動摩擦部材となる。この駆動軸３４の一端には、電気機械変換素子３５が取り付けられている。電気機械変換素子３５は、ピエゾ素子や圧電素子等であり、図示を省略する駆動回路によって印加される駆動電圧に応じて、駆動軸３４の軸方向に伸びと縮みの速度が異なった伸縮変位をし、駆動軸３４を軸線方向に振動させる。固定部３６は、電気機械変換素子３５の端部の一端が取り付けられ、振動時のバランサとしても機能する。この固定部３６は、ベース１０裏面側に取り付けられた取付部材４２により支持されている。具体的に、取付部材４２の一端には、固定部３６が取り付けられ、この取付部材４２の他端には、駆動軸３４の他端を支持する支持孔４３が設けられ、ここに、駆動軸３４の他端が軸線方向に振動可能に係合されている。すなわち、駆動軸３４は、電気機械変換素子３５の変位により軸方向に移動し得るように取付部材４２に支持されている。
【００３５】
連結部３７は、取付ブロック３２に一体的に設けられた第１の連結片４４と第２の連結片４５とから構成されている。第１の連結片４４は、取付ブロック３２の支持部４１とは反対側の端部から駆動軸３４に向かって突出形成されている。第２の連結片４５は、板バネ等の弾性変位可能な部材からなり、取付ブロック３２に片持ち支持された状態でねじ止め等により取り付けられている。これら第１の連結片４４と第２の連結片４５とは、互いに対向配置されており、その間に駆動軸３４を挟み込むことによって、取付ブロック３２は、駆動軸３４の軸方向にスライド可能に支持されている。したがって、取付ブロック３２は、支持部４１のガイド孔３９にガイド軸３３が挿通されると共に、連結部３７が駆動軸３４の軸方向にスライド可能に支持されることによって、これらガイド軸３３及び駆動軸３４の軸方向、すなわち光磁気ディスク３の径方向に移動可能に支持されている。
【００３６】
このように構成される光ピックアップ送り機構３１は、電気機械変換素子３５を、この電気機械変換素子３５の駆動信号となる駆動電圧に応じて伸縮させながら、駆動軸３４を軸方向に変位させることによって、連結部３７を駆動軸３４の軸方向にスライドさせる。これにより、光ピックアップ８及び磁気ヘッド１５を支持している取付ブロック３２を光磁気ディスク３の径方向に直線駆動させることができる。具体的に、図５に示すように、電気機械変換素子３５は、駆動回路によって、駆動信号として、各パルスが、立ち上がりにおいて、先ず、急峻に第１の所定電圧Ｖｂまで昇圧し、次いで、緩やかに直線的に第２の所定電圧Ｖａまで昇圧し、次いで、所定期間一定電圧を保持し、次いで、立ち下がりにおいて、急峻に０Ｖまで降圧するような駆動電圧が印加される。ここで、第１の所定電圧Ｖｂまでは、電気機械変換素子３５の不感電圧であり、第１の所定電圧Ｖｂは、電気機械変換素子３５の動作開始電圧である。
【００３７】
具体的に、取付ブロック３２を一方向に直線的に移動させる場合、図５に示すような駆動電圧が印加される。すなわち、立ち上がりにおいて、先ず、駆動電圧が、急峻、すなわち垂直的に電気機械変換素子３５の動作開始電圧である第１の所定電圧Ｖｂに昇圧されるまで、電気機械変換素子３５は、不感帯にあり、動作を開始しない。そして、駆動電圧が第１の所定電圧Ｖｂになり、これに連続して緩やかに所定電圧Ｖａまで直線的に昇圧すると、電気機械変換素子３５は、緩やかに伸長し、これに連動して駆動軸３４が一方向に緩やかに移動する。このとき、取付ブロック３２は、連結部３７と駆動軸３４との間に働く摩擦力により、駆動軸３４に保持され、駆動軸３４と共に一方向に移動する。一方、立ち下がりにおいて、駆動電圧を０Ｖまで急峻に垂直的に降圧すると、電気機械変換素子３５は、急速に収縮し、これに連動して駆動軸３４が他方向に急速に移動する。このとき、連結部３７は、慣性によって駆動軸３４との間に摩擦力に抗した滑りが生じ、駆動軸３４のみが他方向に移動する。この結果、取付ブロック３２は、駆動軸３４に対して、一方向にスライドすることになる。この光ピックアップ送り機構３１は、図５に示す駆動電圧を繰り返し電気機械変換素子３５に印加することによって、連結部３７を介して駆動軸３４に連結された取付ブロック３２を、駆動軸３４に対して、一方向へと連続的にスライドさせることができる。なお、取付ブロック３２を多方向に直線移動させる場合には、この駆動電圧の逆の駆動電圧を電気機械変換素子３５に印加するようにすればよい。
【００３８】
このように、光ピックアップ送り機構３１は、電気機械変換素子３５の動作開始電圧となる第１の所定電圧Ｖｂまで垂直的に昇圧する駆動電圧を電気機械変換素子３５に印加するようにしている。したがって、０Ｖから第２の所定電圧Ｖａまで直線的に駆動電圧を印加する場合に比べて省電力化を図ることができる。また、電気機械変換素子３５が動作しない時間を無くすことができ、光ピックアップ８を円滑に操作することができる。
【００３９】
以上のような光ピックアップ送り機構３１によれば、駆動軸３４と連結部３７との間に働く摩擦力や、駆動軸３４に対する第２の連結片４５の弾性力を調節することによって、非駆動時においても、この駆動軸３４と連結部３７との間に働く摩擦力によって、取付ブロック３２を移動方向の任意の位置に安定した状態で保持することができる。また、この光ピックアップ送り機構３１は、従来のようにギヤ列を用いたときのようにバックラッシュが無く、ｎｍオーダーといった高分解能での駆動制御が可能であり、したがって、対物レンズ１４のトラッキング制御も行うことができる。また、光ピックアップ送り機構３１は、２０ｋＨｚ以上となる超音波領域で無音駆動が可能となり、動作音を小さくすることができる。更に、この光ピックアップ送り機構３１は、従来のような駆動モータによる回転駆動をギヤ群及びラック部材を介して直線駆動に変換する機構に比べて大幅な小型化が可能である。
【００４０】
ところで、図３に示すように、ベース１０に設けられている光ピックアップ用開口部１４ａは、対物レンズ１４を装着部側に臨ませ、光ピックアップ送り機構３１を構成する駆動軸３４を被覆する大きさに形成されており、駆動軸３４を覆うベース１０の一部が、駆動軸３４に塵埃等の異物が付着することを防止する防塵部５１となっている。ベース１０のディスクカートリッジ２の装着部が構成された一方の主面側は、ディスクカートリッジ２の挿脱を行うとき、カートリッジホルダ１１と連係した蓋体が装着部を開放し、従って、この開放されたディスクカートリッジ２のカートリッジ挿脱口より装着部に塵埃等の異物が侵入する。そこで、この防塵部５１は、カートリッジ挿脱口より進入した異物が駆動軸３４に付着することを防止する。なお、駆動軸３４は、装着部側のみが防塵部５１によって被覆されており、それ以外の方向は、防塵部５１によって被覆されていない。これは、ベース１０は、外筐内に配設されるものであり、装着部側以外の方向からは塵埃等の異物が侵入する虞が無いからである。
【００４１】
なお、防塵部５１は、ベース１０と一体的に設ける他、ベース１０と別体となるようにシート材等からなるカバー部材をベース１０の光ピックアップ用開口部１４ａの近傍に貼着することによって、駆動軸３４の上部を被覆するようにしてもよい。この場合、ベース１０に設計変更を加えること無く、防塵部５１を簡単な作業でベース１０の光ピックアップ用開口部１４ａの近傍に貼着することができる。
【００４２】
次に、以上のように構成されたディスク記録再生装置１の動作について説明する。先ず、ディスク記録再生装置１を構成する装置本体に対して蓋体が内部を開放する方向に回動され、装置本体内に構成された装着部が開放された状態において、ディスクカートリッジ２は、図１に示すように、シャッタ部材５が設けられた前面部に直交する一側面部を挿入端として、蓋体が装着部を開放することにより設けられたディスクカートリッジ２のカートリッジ挿脱口より装置本体内に挿入される。すると、ディスクカートリッジ２は、蓋体と連動したカートリッジホルダ１１に保持される。このとき、シャッタ部材５は、カートリッジホルダ１１に設けられたシャッタ開放片２４によってシャッタロックが解除され、カートリッジ本体２ｃの前面部に沿ってスライドされ、カートリッジ本体２ｃに設けられた記録再生用の開口部４，４を開放し、これら開口部４，４を開放した位置にシャッタ保持片２５によって保持され、光磁気ディスク３の信号記録領域を内外周に亘ってカートリッジ本体２ｃの外部に臨ませる。
【００４３】
そして、装置本体の内部を開放した状態にある蓋体が装置本体の内部を閉塞する方向に回動操作がされると、カートリッジホルダ１１に保持されたディスクカートリッジ２は、ベース１０に構成された装着部に装着される。すると、カートリッジ本体２ｃの下ハーフ２ｂ側略中央部に設けられた開口部６からは、ディスク回転駆動機構７を構成するディスクテーブル１３が内部に進入する。そして、ディスクテーブル１３は、光磁気ディスク３に設けられているクランピングプレート３ａに係合され、磁気吸引することによって、光磁気ディスク３を一体的に回転でき状態にする。
【００４４】
次に、装着部に装着されたディスクカートリッジ２の光磁気ディスク３にデータを記録する場合について説明する。先ず、ユーザによって操作部を構成する記録開始釦が押されると、スピンドルモータ１２が駆動され、光磁気ディスク３が回転される。これと共に、光ピックアップ８を構成する半導体レーザが駆動され、データ記録用の出力レベルで光ビームが出射される。
【００４５】
また、光ピックアップ送り機構３１の電気機械変換素子３５が駆動回路により駆動される。具体的に、駆動回路は、図５に示すような駆動信号を電気機械変換素子３５に印加する。具体的に、駆動回路は、電気機械変換素子３５に対して、各パルスが、立ち上がりにおいて、先ず、急峻に第１の所定電圧Ｖｂまで昇圧し、次いで、緩やかに直線的に第２の所定電圧Ｖａまで昇圧し、次いで、所定期間一定電圧を保持し、次いで、立ち下がりにおいて、急峻に０Ｖまで降圧するような駆動電圧を印加する。電気機械変換素子３５は、駆動電圧が第１の所定電圧Ｖｂに昇圧されるまで、不感帯にあり、取付ブロック３２は、移動を開始しない。そして、駆動電圧が第１の所定電圧Ｖｂになり、これに連続して緩やかに第２の所定電圧Ｖａまで直線的に昇圧するとき、電気機械変換素子３５は、緩やかに伸長し、これに連動して駆動軸３４が一方向に緩やかに移動する。このとき、取付ブロック３２は、連結部３７と駆動軸３４との間に働く摩擦力により、駆動軸３４に保持され、駆動軸３４と共に一方向に移動する。駆動電圧を０Ｖまで急峻に垂直的に降圧するとき、電気機械変換素子３５は、急速に収縮し、これに連動して駆動軸３４が他方向に急速に移動する。このとき、連結部３７は、慣性によって駆動軸３４との間に摩擦力に抗した滑りが生じ、駆動軸３４のみが他方向に移動する。この結果、取付ブロック３２は、駆動軸３４に対して、一方向にスライドすることになる。光ピックアップ送り機構３１は、図５に示す駆動電圧Ｖを繰り返し電気機械変換素子３５に印加することによって、連結部３７を介して駆動軸３４に連結された取付ブロック３２を、駆動軸３４に対して、一方向へと連続的にスライドさせる。これによって、光ピックアップ８は、光磁気ディスク３の内周側に移動され、対物レンズ駆動機構がフォーカスサーボ信号に基づいてフォーカスサーボ制御を行い、記録位置を特定するためデータの読み出しを開始する。
【００４６】
記録データの記録位置を特定すると、磁気ヘッド１５は、昇降操作部材２７が回動されることによって、光磁気ディスク３に近接される。そして、光磁気ディスク３は、光ピックアップ８により光ビームが照射されてキュリー温度以上に加熱され磁気ヘッド１５により磁界が印加されることによってデータの記録が開始される。
【００４７】
このとき、光ピックアップ送り機構３１を構成する電気機械変換素子３５の駆動回路には、トラッキングサーボ信号が入力される。そして、駆動回路は、トラキングサーボ信号に基づいて図５に示す駆動電圧を電気機械変換素子３５に印加し、光ピックアップ８を光磁気ディスク３の径方向に移動させ、対物レンズ１４のトラッキング制御を行う。すなわち、光ピックアップ送り機構３１は、光ピックアップ８を、微細な対物レンズ１４のトラッキング制御とこれに対して大まかな光磁気ディスク３の径方向の送り操作とを行う。
【００４８】
なお、ディスクカートリッジ２の光磁気ディスク３に記録されているデータの再生を行うときは、磁界を光磁気ディスク３に印加する必要が無いことから、ヘッド昇降機構により光磁気ディスク３に対して離間した状態にされている。そして、光ピックアップ８が光磁気ディスク３に光ビームを照射し、反射された戻りの光ビームを検出することによって、データ読み出しを行う。この再生時においても、光ピックアップ送り機構３１は、光磁気ディスク３の径方向に光ピックアップ８を送り操作すると共に、トラッキングサーボ信号に基づいて対物レンズ１４のトラッキング制御を行う。また、対物レンズのフォーカス制御は、対物レンズ駆動機構で行う。
【００４９】
以上のように構成されるディスク記録再生装置１では、上述した光ピックアップ送り機構３１を用いることによって、従来ような駆動モータによる回転駆動をギヤ群及びラック部材を介して直線駆動に変換する機構に比べて、部品点数を大幅に削減することができ、更なる小型化及び軽量化を図ることができる。また、ディスク記録再生装置１は、電気機械変換素子３５を用いた光ピックアップ送り機構３１によって取付ブロック３２を移動させることで、トラッキング制御と光ピックアップ８の送り操作を行うことができ、光ピックアップ８の対物レンズ駆動機構にトラッキング制御用のコイルやマグネットを設ける必要がなくなり構成の簡素化及び小型化を図ることができる。そして、ディスク記録再生装置１では、光ピックアップ送り機構３１を構成する駆動軸３４をベース１０と一体的に設けられた防塵部５１で被覆されている。したがって、ディスクカートリッジ２の挿脱を行うときに、カートリッジ挿脱口より進入した塵埃等の異物が駆動軸３４に付着することが防止される。したがって、光ピックアップ送り機構３１は、光ピックアップ８の移動を高精度に行うことができ、光磁気ディスク３の径方向の送り操作の他に、対物レンズ１４のトラッキング制御も高精度に行うことができる。
【００５０】
なお、以上の例では、ベース１０に一体的に設けられた防塵部５１が光ピックアップ送り機構３１を構成する駆動軸３４の上部を被覆したものを説明したが、この防塵部５１は、図６に示すようにしてもよい。すなわち、この防塵部５５は、ベース１０に、駆動軸３４の上部を覆う第１の被覆部５６と、第１の被覆部５６の先端部を下側に折曲して設けた第２の被覆部５７とを設けたことを特徴とする。そして、第２の被覆部５７は、取付ブロック３２の光ピックアップ８の移動方向に沿って設けられたガイド溝５８に係合される。このような防塵部５５では、第１の被覆部５６によって駆動軸３４に、上部からの異物（矢印Ａ方向）が駆動軸３４に付着することが防止されると共に、第２の被覆部５７によって、側部からの異物（矢印Ｂ方向）が駆動軸３４に付着することを防止することができる。したがって、防塵部５５は、上記防塵部５１より更に駆動軸３４に異物が付着することを防止できる。また、この防塵部５５は、ベース１０と一体的に設けられていることから、部品点数を増やすこと無く簡単な構成で駆動軸に異物が付着することを防止することができる。
【００５１】
更に、この防塵部５５は、ベース１０と一体的に設けたものであるが、図７及び図８に示すように、ベース１０と別体で設けてもよい。この防塵部６１は、シート材等のカバー部材６５からなり、このカバー部材６５は、駆動軸３４の上部を覆う第１の被覆部６２と、第１の被覆部６２の先端部を下側に折曲して設けた第２の被覆部６３とが設けられている。カバー部材６５の第１の被覆部６２の裏面側の一部には、接着層６４が設けられており、このカバー部材６５は、接着層６４を介してベース１０の光ピックアップ用開口部１４ａの近傍に貼着される。第２の被覆部６３は、ベース１０に貼着されたとき、取付ブロック３２の光ピックアップ８の移動方向に沿って設けられたガイド溝６６に係合される。このような防塵部６１では、第１の被覆部６２によって駆動軸３４に、上部からの異物（矢印Ａ方向）が駆動軸３４に付着することが防止されると共に、第２の被覆部６３によって、側部からの異物（矢印Ｂ方向）が駆動軸３４に付着することを防止することができる。したがって、防塵部６１は、上記防塵部５１より更に駆動軸３４に異物が付着することを防止できる。また、この防塵部６１は、取付ブロック３２にガイド溝６６を設けるのみで、ベース１０に設計変更を加えること無く、簡単な作業で第１の被覆部６２と第２の被覆部６３が設けられたカバー部材６５をベース１０の光ピックアップ用開口部１４ａの近傍に貼着することができる。
【００５２】
更に、このベース１０と別体で構成された防塵部６１は、図９乃至図１１に示すようなものにすることもできる。本発明が適用された防塵部７１は、可撓性を有するカバー部材７２で駆動軸３４の上部を覆う第１の被覆部７３と、第１の被覆部７３の先端部を下側に折曲して設けた第２の被覆部７４を設けたことを特徴とする。第２の被覆部７４は、互いに平行な切れ目が設けられ略櫛状になっている。そして、第２の被覆部７４は、取付ブロック３２上では、取付ブロック３２により押し上げられ、取付ブロック３２以外の領域では、取付ブロック３２に押し上げられること無く第１の被覆部７３に対して略垂直な状態となっている。したがって、この防塵部７１では、上記防塵部５５，６１のように第２の被覆部５７，６３が係合するガイド溝５８，６６は設けられていない。そして、第２の被覆部７４は、撓み変形しやすいので、取付ブロック３２の移動を阻害することも無い。このようなカバー部材７２は、一方の面に、接着層７５が設けられており、このカバー部材７２は、接着層７５を介してベース１０の光ピックアップ用開口部１４ａの近傍に貼着される。
【００５３】
このような防塵部７１では、第１の被覆部７３によって駆動軸３４に、上部からの異物（矢印Ａ方向）が駆動軸３４に付着することが防止されると共に、第２の被覆部７４によって、側部からの異物（矢印Ｂ方向）が駆動軸３４に付着することを防止することができる。したがって、防塵部７１は、上記防塵部５１より更に駆動軸３４に異物が付着することを防止できる。また、この防塵部７１は、取付ブロック３２にガイド溝６６も設ける必要が無く、また、ベース１０に設計変更を加えること無く、簡単な作業で第１の被覆部７３と第２の被覆部７４が設けられたカバー部材７２をベース１０の光ピックアップ用開口部１４ａの近傍に貼着することができる。
【００５４】
更に、防塵部は、図１２乃至図１５のように構成することもできる。この防塵部８１は、ベース１０の光ピックアップ用開口部１４ａの近傍に取り付けられ、装着部に装着されるディスクカートリッジ２によって回動される回動部材８２と、この回動部材８２に取り付けられるカバー部材８３とから構成される。
【００５５】
回動部材８２は、ベース１０に設けられた装着部に装着されるディスクカートリッジ２に押圧される被押圧片８４とカバー部材８３が取り付けられる被取付片８５とが所定の角度開いてを設けられている。この被取付片８５は、駆動軸３４の上部を覆う第１の被覆部８５ａとなる。この回動部材８２は、長手方向両端部に軸孔８６，８６が設けられており、これら軸孔８６，８６は、ベース１０の光ピックアップ用開口部１４ａの近傍であって駆動軸３４の近傍に設けられた支軸８７，８７に軸支され、被取付片８５が光ピックアップ用開口部１４ａに臨むように取り付けられる。また、回動部材８２には、ベース１０に設けられた回動規制部９１に押圧される弾性片９２が設けられている。
【００５６】
被取付片８５に取り付けられるカバー部材８３は、可撓性を有するものであり、接着剤等によって被取付片８５に取り付けられる。このカバー部材８３は、駆動軸３４の上部を覆う被取付片８５に取り付けられる取付部８８と、取付部８８の先端部を下側に折曲して設けた第２の被覆部８９とを有している。第２の被覆部８９は、互いに平行な切れ目が設けられ略櫛状になっている。そして、第２の被覆部８９は、取付ブロック３２上では、取付ブロック３２により押し上げられ、取付ブロック３２以外の領域では、取付ブロック３２に押し上げられること無く第１の被覆部８８に対して略垂直な状態となっている。したがって、この防塵部８１では、上記防塵部５５，６１のように第２の被覆部５７，６３が係合するガイド溝５８，６６は設けられていない。このようなカバー部材８３は、接着剤等で回動部材８２の被取付片８５に取り付けられる。
【００５７】
このように構成された防塵部８１は、ディスクカートリッジ２がベース１０に装着されていないとき、回動部材８２は、ベース１０の回動規制部９１に係合されている弾性片９２によって図１４中矢印Ｄ方向に支軸８７，８７を中心にして回動付勢されている。したがって、回動部材８２の被取付片８５は、ベース１０に近接し、第１の被覆部８５ａは、駆動軸３４の上部を被覆し、更に、被取付片８５に取り付けられた第２の被覆部８９は、駆動軸３４の側部を被覆した状態にあり、駆動軸３４に異物が付着することを防止した状態にある。また、被取付片８５と所定角度をもって設けられた被押圧片８４は、装着部より突出した状態にある。ディスクカートリッジ２がベース１０の装着部に装着されていないときは、装置本体に対して蓋体が上方に回動されカートリッジ挿脱口が開放された状態のときがあり、このカートリッジ挿脱口より異物が侵入することがあるからである。
【００５８】
そして、ディスクカートリッジ２がベース１０の装着部に装着されると、ディスクカートリッジ２の下ハーフ２ｂ側の記録再生用の開口部４の近傍で回動部材８２の被押圧片８４が押圧される。すると、回動部材８２は、支軸８７，８７を中心にして図１５中反矢印Ｄ方向に回動される。すると、第１の被覆部８５ａを構成する被取付片８５は、ベース１０の装着部より突出する方向に回動し、下ハーフ２ｂ側の記録再生用の開口部４よりカートリッジ本体２ｃ内に進入する。これにより第２の被覆部８９は、駆動軸３４より離間し、取付ブロック３２に取り付けられた光ピックアップ８は、光ピックアップ送り機構３１により円滑に光磁気ディスク３の径方向に移動可能な状態となる。
【００５９】
この防塵部８１では、ディスクカートリッジ２がベース１０の装着部に装着されたときは第２の被覆部８９が取付ブロック３２と接触しないようになっていることから、高精度に光ピックアップ８の送り操作を行うことができると共に、ディスクカートリッジ２が装着部に装着されていないときには、駆動軸３４の上部を第１の被覆部８５ａで被覆し、駆動軸３４の側部を第２の被覆部８９で被覆するようにしていることから、駆動軸３４に異物が付着することを確実に防止することができる。
【００６０】
なお、以上の例では、光ピックアップ送り機構３１で光ピックアップ８の送り操作と対物レンズ１４のトラッキング制御を行い、光ピックアップ８の対物レンズ駆動機構をフォーカシング制御のみを行う１軸アクチュエータで構成した例を説明したが、本発明はこれに限定されるものではなく、光ピックアップ送り機構３１で光ピックアップ８の送り操作のみを行い、光ピックアップ８の対物レンズ駆動機構を、フォーカシング制御とトラッキング制御とを行うことができるように従来と同じ２軸アクチュエータで構成するようにしてもよい。
【００６１】
また、以上のディスク記録再生装置１では、カートリッジホルダ１１がベース１０に回動可能に取り付けられているものを説明したが、ディスク記録再生装置１は、カートリッジホルダ１１がベース１０に対して直線的に近接離間するものであってもよい。更に、ディスク記録再生装置１は、据え置き型の装置に用いることもできる。
【００６２】
【発明の効果】
以上詳細に説明したように、本発明によれば、記録及び／又は再生部の移動操作部に、電気機械変換素子を駆動源に用い、この電気機械変換素子に取り付けられた駆動軸を伸縮させることによって、この駆動軸に支持されている記録及び／又は再生部を移動操作させるディスク記録及び／又は再生装置であるときに、この駆動軸に塵埃等の異物が付着することを防止する防塵部を設けることで、記録媒体の挿脱のとき等に進入した異物が駆動軸に付着することを防止することができ、高精度に記録及び／又は再生部を移動操作することができるようになる。
【図面の簡単な説明】
【図１】本発明を適用した記録再生装置を示す斜視図である。
【図２】ベースにディスクカートリッジが装着された状態を示す斜視図である。
【図３】上記記録再生装置を示す平面図である。
【図４】上記記録再生装置の断面図である。
【図５】電気機械変換素子に印加される駆動電圧の波形図である。
【図６】駆動軸に塵埃等が付着することを防止する防塵部の断面図である。
【図７】防塵部の他の例を説明する斜視図である。
【図８】図７に示す防塵部の断面図である。
【図９】  本発明を適用した記録再生装置の防塵部を示す斜視図である。
【図１０】  シート材がベースに取り付けられた状態を示す図９の防塵部の斜視図である。
【図１１】図１０に示す防塵部の断面図である。
【図１２】防塵部の更なる他の例を示す分解斜視図である。
【図１３】図１２に示す防塵部の分解斜視図である。
【図１４】ディスクカートリッジが装着部に装着されていない状態の図１２及び図１３に示す防塵部の断面図である。
【図１５】ディスクカートリッジが装着部に装着されている状態の図１２及び図１３に示す防塵部の断面図である。
【符号の説明】
１  ディスク記録再生装置、２  ディスクカートリッジ、３  光磁気ディスク、４  記録再生用の開口部、６  ディスク駆動用の開口部、７  ディスク回転駆動機構、８  光ピックアップ、１０  ベース、１１  カートリッジホルダ、１４ａ光ピックアップ用開口部、３３  ガイド軸、３４  駆動軸、３５  電気機械変換素子、３７  連結部、５１  防塵部
【図１】
0004085690.tif 000002
【図２】
0004085690.tif 000003
【図３】
0004085690.tif 000004
【図４】
0004085690.tif 000005
【図５】
0004085690.tif 000006
【図６】
0004085690.tif 000007
【図７】
0004085690.tif 000008
【図８】
0004085690.tif 000009
【図９】
0004085690.tif 000010
【図１０】
0004085690.tif 000011
【図１１】
0004085690.tif 000012
【図１２】
0004085690.tif 000013
【図１３】
0004085690.tif 000014
【図１４】
0004085690.tif 000015
【図１５】
0004085690.tif 000016